(57)【特許請求の範囲】
【請求項１】
汚水を貯溜する集水桝と、集水桝中に設置された吸込管と、それに接続された真空弁及びそのコントローラを含む真空弁ユニットと、真空弁に接続された真空配管と、コントローラと真空配管を連結する連結管とを有する真空式汚水収集設備において、連結管の途中に引出管を接続し、引出管の開放端に接離可能な可動部材を装着し、可動部材に集水桝の水位に応じて変位するフロート部材を接続したことを特徴とする真空式汚水収集設備。
【発明の詳細な説明】
【０００１】
【発明の属する技術分野】
本発明は、家庭や各種施設から排出される汚水を真空を利用して収集する真空式汚水収集設備に関する。
【０００２】
【従来の技術】
真空式汚水収集設備は、図４に示すように、家庭２０から排出される汚水を自然流下管２１を介して貯溜する集水桝１と、集水桝１中に設置された真空弁ユニット２（図４では省略してある）と、真空ポンプ２６に接続された真空タンク２５と、圧送ポンプ２７を備えた真空ステーション２４と、真空弁ユニット２と真空タンク２５とを連結する真空本管２３とを有する。真空本管２３は、真空ステーション２４から数百ｍ乃至数千ｍに及びそれに沿って複数の真空弁ユニットが配置される。
【０００３】
集水桝１の内部には、図５に示すように真空弁３及び真空弁用コントローラ４と両者を接続する連結管５を含む真空弁ユニット２が設けられている。真空弁３は吸込管８に接続されると共に、分岐真空配管２２に接続されている。また集水桝１の上部には大気中に開口する空気取込管７が接続され、この空気取入管７の内部には一端が大気に開放する吸気管６が配設されている。吸気管６の他端はコントローラ４に連結されている。なお水位検出管１０は、検出チューブ９を介してコントローラ４に連結されている。
【０００４】
上述の汚水収集設備によれば、各家庭２０から排出された汚水が集水桝１内に流入し、水位検出管１０により一定量溜まったことが検出されると、コントローラ４が作動して真空弁３が開き、汚水は吸込管８に吸引され、真空弁３を通過して分岐真空配管２２を経て真空本管２３に流入する。吸込管８の下端が汚水の表面を離れると、吸込管８から流入した空気は、吸込管８、真空弁３及び分岐真空配管２２を経て真空本管２３に流入する。真空本管２３に流入した空気は膨張し、汚水と空気との混相流となって真空ステーション２４に送られ、真空タンク２５に集められる。真空タンク２５に集められた空気は真空ポンプ２６により排出され、真空タンク２５内の真空度は所定の値に維持される。真空タンク２５に溜まった汚水は、圧送ポンプ２７によって汚水処理場に送られる。
【０００５】
【発明が解決しようとする課題】
上述した真空式汚水収集設備においては、真空弁２は通常は吸込管８と分岐真空配管２２との間を遮断し、集水桝１中に一定量の汚水が流入すると開弁し、集水桝１の汚水水位が下ると閉弁するようになっている。
しかしながら真空弁が何らかの原因により作動しない場合には、集水桝１内の汚水を正常に吸引できなくなり、汚水が集水桝から溢出してしまう。
このような不具合が生ずると、作業者が集水桝１内の汚水が排出してから真空弁を修理するといった極めて面倒な作業を行っている。
【０００６】
したがって、本発明の目的は、上述した従来技術の問題点を解消し、集水桝から汚水が溢出する前に真空弁の異常を検出又はその異常を解除することのできる真空式汚水収集設備を提供することである。
【０００７】
【課題を解決するための手段】
上記目的を達成するために、本発明においては、汚水を貯溜する集水桝と、集水桝中に設置された吸込管と、それに接続された真空弁及びそのコントローラを含む真空弁ユニットと、真空弁に接続された真空配管と、コントローラと真空配管を連結する連結管とを有する真空式汚水収集設備において、連結管の途中に引出管を接続し、引出管の開放端側に接離可能な可動部材を装着し、可動部材に集水桝の水位に応じて変位するフロート部材を接続する、という技術的手段を採用した。
【０００８】
【発明の実施の形態】
以下本発明の詳細を添付図面により説明する。
図１は本発明の一実施例に係る真空汚水収集設備の主要部を示す概略図、図２は図１のＡ−Ａ矢視図、図３は図２のＢ−Ｂ断面図であり、図４及び図５と同一部分は同一の参照符号で示す。
本発明では、連結管５の途中にチーズと称される三方分岐継手１１が設けられ、三方分岐継手１１にボール弁１２を介して引出管１３が接続され、その先端部はサポート１４を介して集水桝１内に取付けられている。引出管１３の開放端側には切欠け１５を有する円筒ケース１６が装着され、円筒ケース１６内に引出管１３の端面に対向する可動片１７が配設されている。可動片１７はパッキング１７ａとそれを保持するコア１７ｂとアーム１７ｃを有しアームの一端側はケース１６に揺動可能に支持され、他端側は切欠け１５から円筒ケース外に延出され、連結ピン１８ａを介して第１ロッド１９ａに接続されている。第１ロッド１９ａの下端には連結ピン１８ｂを介して第２ロッド１９ｂが連結されている。第２ロッド１９ｂの一端はピン３１を介してサポート１４に揺動自在に支持され、第２ロッド１９ｂの他端にはフロート３２が固着されている。すなわち可動片１７は、第１ロッド１９９、第２ロッド１９ｂを含むリンク機構を介してフロート３２に接続されている。
上記構成によれば、家庭２０（図４参照）から排出された汚水は、自然流下管２１を通って集水桝１内に流入し、吸込管８、真空弁３及び分岐真空配管２２を通って真空本管２３（図４参照）に排出される。空気は空気取込管７から集水桝１内に流入し、集水桝１内の汚水が流出し汚水面が吸込管８から離れると、集水桝１内の空気は先行する汚水に続いて吸込管８、真空弁３及び分岐真空配管２２を通って真空本管２３に出て膨張し、汚水と共に混相流となって真空ステーション２４（図４参照）に搬送される。
【０００９】
ここで真空弁３が正常に作動している場合は、図１の連結管５、分岐真空配管２２及び引出管１３は真空に維持されており、集水桝の水位はＮ．Ｌの位置にあるので、フロート３２は図中実線で示す位置にあり、可動片１７は引出管１３の端面に当接し、そこを塞いでいる。
しかるに集水桝１内の水位がＨ．Ｌ．まで上昇するとフロート３２も図中破線で示す位置まで上昇して、上述したリンク機構により可動片１７は引出管１３の端面から離間するので、真空弁３に大気が流入して真空が破壊される。
【００１０】
ここで上記引出管１３の端部に警笛３３を取り付けておけば、真空の破壊によりそこからエアが吸引され、音が発生するので、集水桝１の外部から異常を検知することができる。また警笛３３の代りに、吸引管３４（図３に破線で示す）を装着しておけば、汚水を吸引するので、異常水位が解消され、集水桝１から汚水が溢出するのを防止することができる。
【００１１】
上記実施例によれば、真空弁ユニット２に引出管１３を接続し、その端部にフロート式可動片を装着するだけの簡単な構造を付加するのみで、真空弁の異常を検知又は解消することができる。
【００１２】
【発明の効果】
以上に記述の如く、本発明によれば、複雑な警報手段又は作動手段によらず、真空弁に異常が発生し、集水桝の水位が上昇しても、その異常を確実に検知又は解除することができるという効果を奏し得る。
【図面の簡単な説明】
【図１】本発明の一実施例に係る真空式汚水収集設備の概略構成図である。
【図２】図１のＡ−Ａ線矢視図である。
【図３】図２のＢ−Ｂ断面図である。
【図４】従来の真空式汚水収集設備の概略構成図である。
【図５】図３の要部を示す拡大図である。
【符号の説明】
１  集水桝、  ２  真空弁ユニット、  ３  真空弁、  ４  コントローラ、
５  連結管、  １３  引出管、  １７  可動片、３２  フロート
【図１】
0003849827.tif 000002
【図２】
0003849827.tif 000003
【図３】
0003849827.tif 000004
【図４】
0003849827.tif 000005
【図５】
0003849827.tif 000006